(57)【要約】      （修正有）【課題】コンセント絶縁基盤と電極が密着固定されているはずの部分が緩んだり、近辺にクラックが入ったままで電流が流れると、通電時の熱により端子が焦げて溶解したり、捻りによる横方向に力が加わった時に、絶縁部近辺が損傷する問題を防ぎ安全性を確保したスイッチ付コンセントと改良プラグを提供する。【解決手段】コンセント本体１０に複数の接続端子１４を設け、改良プラグ２０のプラグ絶縁体２３に接続端子の数と対応する数のプラグ電極差込端子２６を設け、コンセント本体の接続端子に改良プラグのプラグ電極差込端子を時計回り、或いは反時計回りの方向に捻りながら押込んだり、引き抜いたりするとき、プラグ電極差込端子が設けられたプラグ絶縁体の差込端子孔２７を横長楕円形にしてマージンを設けたことを特徴とする。【選択図】図１
0003200970.tif 000002
【実用新案登録請求の範囲】
【請求項１】
コンセント本体にスイッチを設け、改良プラグをコンセント本体に差込み、差込みが完了した時点でコンセント本体に設けたスイッチがオン動作して通電するスイッチ付コンセントと改良プラグであって、コンセント本体に複数の接続端子を設け、改良プラグのプラグ絶縁体に上記接続端子の数と対応する数のプラグ電極差込端子を設け、前記コンセント本体の接続端子に前記改良プラグのプラグ電極差込端子を時計回り、或いは反時計回りの方向に捻りながら押込んだり、引き抜いたりするとき、前記プラグ電極差込端子が設けられたプラグ絶縁体の差込端子孔を横長楕円形にしてマージンを設けたことを特徴とするスイッチ付コンセントと改良プラグ。
【請求項２】
前記横長楕円形にしてマージンを設けた差込端子孔のプラグ電極差込端子と接触する部分に、押し込み時、引き抜き時の捻りにより、横方向に加わる力を低減して磨耗を防止する磨耗防止用金属壁を設けたことを特徴とする請求項１記載のスイッチ付コンセントと改良プラグ。
【考案の詳細な説明】
【技術分野】
【０００１】
本考案は、スイッチ付コンセントと改良プラグに関し、詳しくは危険な化学反応、引火、爆発等の危険がある場所で使用するにあたり安全性を確保することが出来るスイッチ付コンセントと改良プラグに関するものである。
【背景技術】
【０００２】
従来、航空機の整備工場や各種の化学工場等で各種機器を定期的に点検整備する場合、又は、修理作業をする場合、爆発等の危険性を防止するために、安全性を確保したスイッチ付コンセントが各所で使用される。この種のスイッチ付コンセントは、コンセント本体に設けたコンセント口に複数の接続端子を設け、プラグに設けたプラグ基盤に上記接続端子と係合させると共に当該接続端子の数と対応する数の差込端子を捻り回転円周方向に対して摺動自在に設け、上記コンセント本体のコンセント口に上記接続端子及び差込端子が捻り回転締め付けにより完全に両端子間が接合された後にコンセント本体に設けたスイッチをオン動作させるスイッチ軸を設けた構造とされている（例えば、特許文献１参照）。
【先行技術文献】
【特許文献】
【０００３】
【特許文献１】特開平６−２７５３４２号公報
【考案の概要】
【考案が解決しようとする課題】
【０００４】
しかしながら、特許文献１に示したスイッチ付コンセントは、単にプラグを押込むだけでなく、時計回り、或いは反時計回りの方向に捻りながら押込んだり、引き抜いたりするため、コンセント絶縁基盤と電極が密着固定されているはずの部分が緩んだり、近辺にクラックが入ったままで電流が流れると、通電時の熱により端子が焦げて溶解したり、捻りによる横方向に力が加わった時に、絶縁部近辺が損傷する等の問題点が発生した。本考案は、押し込み時、引き抜き時の捻りにより、横方向に力が電極に加わることにより、上述した端子の溶解及び絶縁部近辺の損傷を防ぎ安全性を確保したスイッチ付コンセントと改良プラグを提供することを目的とする。
【課題を解決するための手段】
【０００５】
上記目的を達成するため、請求項１に記載の考案は、コンセント本体にスイッチを設け、改良プラグをコンセント本体に差込み、差込みが完了した時点でコンセント本体に設けたスイッチがオン動作して通電するスイッチ付コンセントと改良プラグであって、コンセント本体に複数の接続端子を設け、改良プラグのプラグ絶縁体に上記接続端子の数と対応する数のプラグ電極差込端子を設け、コンセント本体の接続端子に改良プラグのプラグ電極差込端子を時計回り、或いは反時計回りの方向に捻りながら押込んだり、引き抜いたりするとき、プラグ電極差込端子が設けられたプラグ絶縁体の差込端子孔を横長楕円形にしてマージンを設けたことを特徴とするものである。
【０００６】
また、請求項２に記載の考案は、請求項１記載のスイッチ付コンセントと改良プラグであって、横長楕円形にしてマージンを設けた差込端子孔のプラグ電極と接触する部分に、押し込み時、引き抜き時の捻りにより、横方向に加わる力を低減して磨耗を防止する磨耗防止用金属壁を設けたことを特徴とするものである。
【考案の効果】
【０００７】
本考案のスイッチ付コンセントと改良プラグによれば、コンセント本体に複数の接続端子を設け、改良プラグのプラグ絶縁体に上記接続端子の数と対応する数のプラグ電極差込端子を設け、コンセント本体の接続端子に改良プラグのプラグ電極差込端子を時計回り、或いは反時計回りの方向に捻りながら押込んだり、引き抜いたりするとき、プラグ電極差込端子が設けられたプラグ絶縁体の差込端子孔を横長楕円形にしてマージンを設けたので、安全性を確保したスイッチ付コンセントと改良プラグを提供することができる。
【０００８】
また、横長楕円形にしてマージンを設けた差込端子孔のプラグ電極と接触する部分に、押し込み時、引き抜き時の捻りにより、横方向に加わる力を低減して磨耗を防止する磨耗防止用金属壁を設けたので、端子の溶解及び絶縁部近辺の損傷を防止したスイッチ付コンセントと改良プラグを提供することができる。
【図面の簡単な説明】
【０００９】
【図１】改良プラグとコンセント本体を接合した（ａ）正面図、（ｂ）一部断面図。
【図２】コンセント本体の正面図。
【図３】コンセント本体の一部断面図。
【図４】改良プラグの正面図。
【図５】改良プラグの一部断面図。
【図６】改良プラグとコンセント本体の垂直接合時の接合正面図。
【図７】改良プラグとコンセント本体の捻り接合時の接合正面図。
【考案を実施するための形態】
【実施例】
【００１０】
以下、本考案によるスイッチ付コンセントと改良プラグの実施の形態を、図面を参照しながら具体的に説明する。図１は改良プラグとコンセント本体を接合した（ａ）正面図、（ｂ）一部断面図、図２はコンセント本体の正面図、図３はコンセント本体の一部断面図、図４は改良プラグの正面図、図５は改良プラグの一部断面図、図６は改良プラグとコンセント本体の垂直接合時の接合正面図、図７は改良プラグとコンセント本体の捻り接合時の接合正面図である。
【００１１】
スイッチ付コンセントと改良プラグは、図１（ａ）、（ｂ）に示すように、コンセント本体１０と改良プラグ２０とから構成され、コンセント本体１０にスイッチ４０を設け、改良プラグ２０をコンセント本体１０に挿入して時計回り、或いは反時計回りの方向に捻りながらゴムライニング２２を掴んで押込んで差込み、差込みが完了した時点でコンセント本体１０に設けたスイッチ４０がオン動作して通電するものであり、コンセント本体１０に複数の接続端子１４を設け、改良プラグ２０のプラグ絶縁体２３に上記接続端子１４の数と対応する数のプラグ電極差込端子２６を設け、コンセント本体１０の接続端子１４に改良プラグ２０のプラグ電極差込端子２６を時計回り、或いは反時計回りの方向に捻りながら押込んだり、引き抜いたりするとき、プラグ電極差込端子２６が設けられたプラグ絶縁体２３の差込端子孔２７を横長楕円形にしてマージンを設け、プラグ電極差込端子２６と接触する部分に、横方向に加わる力を低減して磨耗を防止する磨耗防止用金属壁２８を設けたものである。
【００１２】
コンセント本体１０は、図２、図３に示すように、ゴムライニングの締付けネジ凹面１１ａが設けられた導通金属製のコンセントケース１１にコンセント絶縁体１２で絶縁されたコンセント口１３が形成され、コンセント口１３には複数のコンセント電極（接続端子）１４が設けられ、各接続端子１４は先端に改良プラグの差込端子が挿入される挿入口１５が形成され、挿入時の位置ズレを吸収するため先端が広径にされている。コンセント絶縁体の底面１２ａにはスイッチ導通用押しピン１６が設けられ、コンセント本体１０の他方の側に設けたスイッチ４０と対応している。
【００１３】
改良プラグ２０は、図４、図５に示すように、コンセント本体１０に締付け及び／又は緩める際に可動するプラグケース２１と締付け及び／又は緩める作業を容易にするゴムライニング２２とプラグ絶縁体２３と一体になったプラグケース２４とで構成される。プラグ絶縁体２３はコンセント口１３に差込まれる差込口２５が突出形成され、差込口２５にはコンセント本体１０の接続端子１４の数と対応する数のプラグ電極（差込端子）２６が設けられ、プラグ絶縁体２３に設けられた差込端子孔２７に挿入される。プラグ電極（差込端子）２６は、プラグ電極前部２６ａとプラグ電極後部２６ｂに分かれ、プラグ電極前部フランジ２６ｃとプラグ電極後部フランジ２６ｄによりプラグ絶縁体２３に保持される。プラグ電極前部２６ａは先端に切込みが形成され、コンセント本体１０の接続端子１４に挿入されるときにスプリング効果をもたらす。プラグ電極後部２６ｂはプラグ電極前部２６ａとねじ止めされ、プラグ絶縁体２３に設けられた差込端子孔２７に挿入される。差込端子孔２７は挿入されるプラグ電極（差込端子）２６に対し横長楕円形にしてマージンを設けている。横長楕円形にしてマージンを設けた差込端子孔２７のプラグ電極（差込端子）と接触する部分に、押し込み時、引き抜き時の捻りにより、横方向に加わる力を低減して磨耗を防止する磨耗防止用金属壁２８を設けている。また、差込口２５の先端には、コンセント口１３に設けたスイッチ導通用押しピン１６と対応する位置にスイッチ導通用押しピン抑え部２９が設けられている。改良プラグ２０の電線締付け密閉部３０は電線が密閉され、定期的に点検整備及び修理する各種機器に接続される電源コードに繋がれている。
【００１４】
上記のように構成されたスイッチ付コンセントと改良プラグを使用するにあたり、航空機の整備工場や各種の化学工場等で各種機器を定期的に点検整備及び修理するための必要な箇所にコンセント本体１０が設置される。
【００１５】
スイッチ付コンセントと改良プラグを使用するには、改良プラグ２０の差込口２５をコンセント本体１０のコンセント口１３へ差込む。即ち、改良プラグ２０の差込口２５に設けられたプラグ電極（差込端子）２６がコンセント本体１０のコンセント口１３に設けられたコンセント電極（接続端子）１４の挿入口１５に挿入して差込むと、各プラグ電極（差込端子）２６は接続端子１４内に挿入され、改良プラグ２０及びコンセント本体１０の各端子が垂直に接合される。この状態から更にプラグ電極（差込端子）２６を押し込むと差込口２５の先端に設けられたスイッチ導通用押しピン抑え部２９がコンセント口１３に設けられたスイッチ導通用押しピン１６を押圧してスイッチ４０をオン動作させる。
【００１６】
コンセント本体１０の接続端子１４に改良プラグ２０のプラグ電極（差込端子）２６を時計回り、或いは反時計回りの方向に捻りながら押込んだり、引き抜いたりするときにあたり、改良プラグとコンセント本体を挿入初期において垂直に接合する場合と、改良プラグとコンセント本体を捻って接合する場合がある。差込端子孔２７は挿入されるプラグ電極（差込端子）２６に対し横長楕円形にしてマージンを設けているので、図６に示すように、挿入初期において垂直に接合する場合は、プラグ絶縁体２３とコンセント絶縁体１２が垂直に接合するので、初期状態の位置では問題はないが、捻って押し込まれるので、毎回横方向の力が大なり小なり加わり多少の問題はあるが、図７に示すように、垂直に接合した後、プラグ絶縁体２３を角度α捻って接合する場合は、プラグ絶縁体２３とコンセント絶縁体１２が時計回りの方向に捻って接合され、両絶縁体のマージン分捻りによる横方向の力が加わるが、それ以上に広い横長楕円形空間で横方向の力を逃げているので、密着固定されているはずの部分が緩んだり、近辺にクラックが入ったままで電流が流れることはなく、通電時の熱により端子が焦げて溶解したり、捻りによる横方向に力が加わった時に、絶縁部近辺が損傷する等の問題点を防ぎ安全性を確保したスイッチ付コンセントと改良プラグを提供することができる。
【００１７】
なお、スイッチ付コンセントと改良プラグの結合は、タップネジによる締め付け方法で説明したが、捻りだけで簡易脱着できるバヨネット方法で結合する場合でも本考案は有効である。
【００１８】
以上説明したように、本考案によるスイッチ付コンセントと改良プラグによれば、コンセント本体に複数の接続端子を設け、改良プラグのプラグ絶縁体に上記接続端子の数と対応する数のプラグ電極差込端子を設け、コンセント本体の接続端子に改良プラグのプラグ電極差込端子を時計回り、或いは反時計回りの方向に捻りながら押込んだり、引き抜いたりするときにあたり、プラグ電極差込端子が設けられたプラグ絶縁体の差込端子孔を横長楕円形にしてマージンを設けたので、安全性を確保したスイッチ付コンセントと改良プラグを提供することができる。
【符号の説明】
【００１９】
１０  コンセント本体
１１  コンセントケース
１１ａ  ゴムライニングの締付けネジ凹面
１２  コンセント絶縁体
１２ａ  コンセント絶縁体の底部
１３  コンセント口
１４  コンセント電極（接続端子）
１５  挿入口
１６  スイッチ導通用押しピン
２０  改良プラグ
２１  プラグケース（締込可動部）
２２  ゴムライニング
２３  プラグ絶縁体
２４  プラグケース（絶縁体一体部）
２５  差込口
２６  プラグ電極（差込端子）
２６ａ  プラグ電極前部
２６ｂ  プラグ電極後部
２６ｃ  プラグ電極前部フランジ
２６ｄ  プラグ電極後部フランジ
２７  差込端子孔
２８  磨耗防止用金属壁
２９  スイッチ導通用押しピン抑え部
３０  電線締付け密閉部
４０  スイッチ
【図１】
0003200970.tif 000003
【図２】
0003200970.tif 000004
【図３】
0003200970.tif 000005
【図４】
0003200970.tif 000006
【図５】
0003200970.tif 000007
【図６】
0003200970.tif 000008
【図７】
0003200970.tif 000009